(57)【要約】【課題】装飾具本体の外形と装飾額縁の嵌合孔の寸法を一定に規格化し、装飾具本体を共通使用することで、構成部品の点数や種類を少なくして多種類の商品に対応できる発光装飾具を提供する。【解決手段】少なくとも一面側に発光表示部５を形成した透明な合成樹脂板６を張設した枠状フレーム４の内側に、合成樹脂板６の周囲の一部に対応し、この合成樹脂板６を板厚面から照射する光源と、前記光源を点灯させる電源を設けた装飾具本体２と、この装飾具本体２を嵌合凹部２０に裏面側から嵌め込んで取付ける装飾額縁３とからなり、前記装飾具本体２における枠状フレーム４の外形寸法と装飾額縁３における嵌合凹部２０の内形寸法を互に嵌まり合うよう一定規格化し、装飾具本体２に対して外形の異なる装飾額縁３を選択使用できるようにする。【選択図】図２
0003117125.tif 000002
【実用新案登録請求の範囲】
【請求項１】
枠状フレームに、少なくとも一面側に発光表示部を形成した透明な合成樹脂板を張設し、前記枠状フレームの内側に、合成樹脂板の周囲の一部に対応し、この合成樹脂板を板厚面から照射する光源と、前記光源を点灯させる電源を設けて形成した装飾具本体と、この装飾具本体を嵌合凹部に裏面側から嵌め込んで取付ける装飾額縁とからなり、前記装飾具本体における枠状フレームの外形寸法と装飾額縁における嵌合凹部の内形寸法を互に嵌まり合うよう一定規格化し、装飾具本体に対して外形の異なる装飾額縁を選択使用できるようにした発光装飾具。
【請求項２】
上記装飾具本体は、枠状フレームが断面Ｌ形の上下枠材と両側枠材で、前面側に前壁を有する矩形状に組み立てられ、この前壁の前面に透明な保護板と、背面に前記発光表示部を形成した透明な合成樹脂板をそれぞれ前壁に重なるよう張設し、前記合成樹脂板の裏面にミラーを重ねて取付け、前記枠状フレームの背面側開口を裏板で閉鎖して形成されている請求項１に記載の発光装飾具。
【考案の詳細な説明】
【技術分野】
【０００１】
この考案は、各種インテリア、装飾品、宣伝媒体、記念品等となる発光装飾具、更に詳しくは、透明な合成樹脂板に設けた発光表示部を光の照射によって発光させるようにした装飾具本体と装飾額縁の組み合わせからなり、製品を製作するに際して、装飾具本体を共通化すると共に装飾額縁を複数種類用意し、製品の用途や種類に応じて外形の異なる装飾額縁を選択することができるようにした発光装飾具に関する。
【背景技術】
【０００２】
透明な合成樹脂板の一面側に粗面の発光表示部を形成し、この合成樹脂板を板厚面から光源で照射することにより、前記発光表示部が発光することで、図柄や文字等を表示する発光装飾具は知られている（例えば特許文献１参照）。
【０００３】
このような発光装飾具を製品化する形態として、発光表示部を形成した透明な合成樹脂板を板厚面から光源で照射する装飾具本体と、この装飾具本体を嵌め込んで取付ける装飾額縁の組み合わせからなる発光装飾具は、装飾具本体によって図柄や文字の立体的かつ変化に富んだ表示が行え、しかも、周囲の装飾額縁によって装飾性と商品価値の向上が図れるので、各種インテリア、装飾品、宣伝媒体、記念品等の製品として最適である。
【特許文献１】特開２００４−３７７２４号公報
【考案の開示】
【考案が解決しようとする課題】
【０００４】
ところで、装飾具本体と装飾額縁からなる発光装飾具を、商品の種類に応じて個々に製作していては、構成部品の点数や種類が極めて多くなり、製作コストが高くつくと共に、部材の管理も複雑になる。
【０００５】
そこで、この考案の課題は、装飾具本体の外形と装飾額縁の嵌合孔の寸法を一定に規格化し、装飾具本体を共通使用し、商品に応じた外形の装飾額縁を選択して組み合わせ使用することで、構成部品の点数や種類を少なくして多種類の商品に対応できる発光装飾具を提供することにある。
【課題を解決するための手段】
【０００６】
上記のような課題を解決するため、この考案は、枠状フレームに、少なくとも一面側に発光表示部を形成した透明な合成樹脂板を張設し、前記枠状フレームの内側に、合成樹脂板の周囲の一部に対応し、この合成樹脂板を板厚面から照射する光源と、前記光源を点灯させる電源を設けて形成した装飾具本体と、この装飾具本体を嵌合凹部に裏面側から嵌め込んで取付ける装飾額縁とからなり、前記装飾具本体における枠状フレームの外形寸法と装飾額縁における嵌合凹部の内形寸法を互に嵌まり合うよう一定規格化し、装飾具本体に対して外形の異なる装飾額縁を選択使用できるようにした構成を採用したものである。
【０００７】
また、上記装飾具本体は、枠状フレームが断面Ｌ形の上下枠材と両側枠材で、前面側に前壁を有する矩形状に組み立てられ、この前壁の前面に透明な保護板と、背面に前記発光表示部を形成した透明な合成樹脂板をそれぞれ前壁に重なるよう張設し、前記合成樹脂板の裏面にミラーを重ねて取付け、前記枠状フレームの背面側開口を裏板で閉鎖して形成されている構造とすることができる。
【０００８】
上記枠状フレームは、金属又は合成樹脂を用いて形成され、透明な合成樹脂板はアクリル樹脂を用い、その発光表示部は、エッチング又はシルク印刷によって図柄や文字に形成されている。
【０００９】
上記光源は、ＬＥＤや白熱ランプ、ハロゲンランプ冷陰極管等を使用することができ、これらは単色でもよいが、赤、青、緑が交互に変わるようにしてもよい。
【考案の効果】
【００１０】
この考案によると、枠状フレームに、少なくとも一面側に発光表示部を形成した透明な合成樹脂板を張設し、前記枠状フレームの内側に、合成樹脂板の周囲の一部に対応し、この合成樹脂板を板厚面から照射する光源と、前記光源を点灯させる電源を設けて形成した装飾具本体と、この装飾具本体を嵌合凹部に裏面側から嵌め込んで取付ける装飾額縁とからなり、装飾具本体の外形と装飾額縁の嵌合孔の寸法を一定に規格化したので、装飾具本体を共通使用し、商品に応じた外形の装飾額縁を選択して組み合わせ使用することで、構成部品の点数や種類を少なくして、各種インテリア、装飾品、宣伝媒体、記念品等の多種類の商品に対応できることになる。
【００１１】
また、装飾具本体を共通使用することで、装飾額縁だけを複数種類製作すればよく、これによって製品のコストダウン化を図ることができる。
【考案を実施するための最良の形態】
【００１２】
以下、この考案の実施の形態を図示例と共に説明する。
【００１３】
図示のように、発光装飾具１は、装飾具本体２と装飾額縁３の組み合わせによって形成されている。
【００１４】
上記装飾具本体２は、枠状フレーム４に、少なくとも一面側に発光表示部５を形成した透明な合成樹脂板６と、その前面側に透明な合成樹脂製の保護板７を張設し、前記枠状フレーム４の内側に、合成樹脂板６の周囲の一部に対応し、この合成樹脂板６を板厚面から照射する光源８と、前記光源８を点灯させる電源９とそのスイッチ１０を設け、枠状フレーム４の背面側開口を裏板１１で閉鎖した構造になっている。
【００１５】
上記、枠状フレーム４は、断面Ｌ形の上下枠材４ａ、４ｂと両側枠材４ｃで、前面側に前壁４ｄを有する矩形状に組み立てられ、この前壁４ｄの前面に透明な保護板７と、背面に前記発光表示部５を形成した透明な合成樹脂板６がそれぞれ前壁４ｄに重なるよう張設され、前記合成樹脂板６の裏面にミラー１２が重ねられ、これら重なり部分の複数箇所がビス１３とナット１４で固定されている。
【００１６】
上記枠状フレーム４の内部には、図４のように、電源９となる電池を収納する電池ボックス１５と、光源８を取付ける回路基板１６と、ＤＣジャック１７を有するスイッチ１０のボックス１８が取付けられている。
【００１７】
上記透明な合成樹脂板６に設けた発光表示部５は、エッチングによる粗面又はシルク印刷によって、商品の種類に応じた図柄や文字に形成され、光源８にはＬＥＤや白熱ランプ、ハロゲンランプ冷陰極管等が使用され、これらは単色でもよいが、赤、青、緑が交互に変わるようにしてもよい。
【００１８】
図４は、透明な合成樹脂板６と光源８の関係を示し、透明な合成樹脂板６の下縁に複数の凹欠部１９を設け、回路基板１６に取付けた複数の光源８を各凹欠部１９内に位置させ、合成樹脂板６を板厚面から照射するようにしている。
【００１９】
また、図５は、光源８と電源９、スイッチ１０及びＤＣジャック１７の接続状態を示す回路図である。
【００２０】
上記装飾額縁３は、装飾具本体２よりも大きな枠状に形成され、裏面側で開口する嵌合凹部２０に裏面側から装飾具本体２を嵌め込んで取付けるようになっている。
【００２１】
ここで、装飾具本体２の外形寸法と装飾額縁３の嵌合凹部２０の内形寸法は、互に嵌まり合うよう一定規格化し、装飾具本体２は共通部材として使用し、装飾額縁３だけを複数種類製作するようになっている。
【００２２】
ちなみに、装飾具本体２の外形寸法は、３００ｍｍ×３００ｍｍ×１８．５ｍｍに設定し、装飾額縁３の嵌合凹部２０の内形寸法もこれが丁度収まる大きさに設定している。
【００２３】
なお、装飾額縁３の外形は、商品となる各種インテリア、装飾品、宣伝媒体、記念品等に合わせた装飾や色彩、デザインに形成されている。
【００２４】
この考案の発光装飾具１は、上記のような構成であり、寸法的に規格化された装飾具本体２を製作すると共に、商品となる各種インテリア、装飾品、宣伝媒体、記念品等に合わせた複数種類の装飾額縁３を製作し、装飾具本体２を装飾額縁３の嵌合凹部２０内に嵌め込んで接着固定して、図１と図２のように発光装飾具１を組み立てる場合に、装飾額縁３の種類を選択することにより、各種インテリア、装飾品、宣伝媒体、記念品等に合わせた発光装飾具１を得ることができ、装飾具本体２の前面と周囲を装飾額縁３が覆って飾ることにより、装飾性の優れた装飾体となる。
【００２５】
このような発光装飾具１は、スイッチ１０をＯＮして光源８を点灯すると、合成樹脂板６の発光表示部５が発光し、図柄や文字の立体的かつ変化に富んだ表示が行え、しかも、周囲の装飾額縁３によって装飾性と商品価値の向上が図れることになる。
【００２６】
また、装飾具本体２の外形寸法と装飾額縁３における嵌合凹部２０の内形寸法を互に嵌まり合うよう一定規格化し、装飾具本体２を共通部材とし、外形の異なる装飾額縁３を選択使用できるようにしているので、構成部品の点数や種類を少なくして、各種インテリア、装飾品、宣伝媒体、記念品等の多種類の商品に対応できることになる。
【図面の簡単な説明】
【００２７】
【図１】発光装飾具の斜視図
【図２】発光装飾具の上部を切り欠いた拡大側面図
【図３】（ａ）は発光装飾具の分解斜視図、（ｂ）は装飾具本体の拡大した縦断側面図
【図４】装飾具本体のフレームと透明合成樹脂板及び光源等の関係を示す背面図
【図５】発光装飾具の配線図
【符号の説明】
【００２８】
１      発光装飾具
２      装飾具本体
３      装飾額縁
４      枠状フレーム
５      発光表示部
６      透明な合成樹脂板
７      保護板
８      光源
９      電源
１０    スイッチ
１１    裏板
１２    ミラー
１３    ビス
１４    ナット
１５    電池ボックス
１６    回路基板
１７    ＤＣジャック
１８    ボックス
１９    凹欠部
２０    嵌合凹部
【図１】
0003117125.tif 000003
【図２】
0003117125.tif 000004
【図３】
0003117125.tif 000005
【図４】
0003117125.tif 000006
【図５】
0003117125.tif 000007